(57)【要約】【課題】部品点数を増やすことなく各部の間に隙間を確実に塞ぎ、ゴミの浸入防止、静電気による破損防止すると共に、乱反射による誤検知を防止することができる電子ビューファインダーを提供する。【解決手段】防塵部１０ａと遮蔽部１０ｂとを一体に形成すると共に、赤外光発光素子５ａと受光素子５ｂとの空間を仕切るための仕切り部１０ｃを一体に形成し、仕切り部１０ｃチャージする構成にすることで、センサー窓８の乱反射による光センサー５の誤検知を防止する。【選択図】図１
2015138072.tif 000002
【特許請求の範囲】
【請求項１】
液晶表示による表示を行う電子ビューファインダーにおいて、
接眼の有無を検知する赤外線発光素子（５ａ）と受光素子（５ｂ）から成る光センサー（５）と、
該光センサー（５）の前面を覆うように配置されたセンサー窓（８）と、
前記液晶表示の表示画像を見るため透明板で構成された表示窓（３）とを備え、
前記光センサー（５）周辺部を遮蔽する遮蔽部（１０ｂ）と、前記表示窓（３）周辺部を防塵する防塵部（１０ａ）とを一体に形成した弾性部材（１０）を設けたことを特徴とする電子ビューファインダー。
【請求項２】
前記遮蔽部（１０ｂ）に前記赤外光発光素子（５ａ）と前記受光素子（５ｂ）との空間を仕切るための仕切り部（１０ｃ）を設けたことを特徴とする請求項１に記載の電子ビューファインダー。
【請求項３】
前記遮蔽部（１０ｂ）は、前記光センサー（５）と前記センサー窓（８）との間に配置され、前記防塵部（１０ａ）は、前記表示窓（３）と保持枠（４）との間に配置されたことを特徴とする請求項１に記載の電子ビューファインダー。
【請求項４】
前記遮蔽部（１０ｂ）と前記防塵部（１０ａ）とを結合する結合部（１０ｇ）は、前記表示窓（３）の端面部を覆い前記表示窓（３）より接眼側に突出させたことを特徴とする請求項１に記載の電子ビューファインダー。
【発明の詳細な説明】
【技術分野】
【０００１】
本発明は、ファインダーに液晶表示による表示を行う電子ビューファインダーの構造に関する。
【背景技術】
【０００２】
従来、この種の電子ビューファインダーとして、特許文献１に開示されたものがある。この電子ビューファインダーは、使用者がファインダーに顔を近づけた時だけ液晶表示部の電源をオンにして画像の表示を行うようにされているものがある。例えば、赤外光発光素子と受光素子の組み合わせを設け、接眼時に赤外線発光素子から出射した赤外光が使用者の顔の一部で反射して受光素子で受光された場合には使用状態と判断して、液晶表示部の電源をオンし、受光素子が赤外光を受光しなくなった場合には不使用状態と判断して、液晶表示部の電源をオフにするものである。ファインダーの接眼部の構造は、赤外光発光素子と受光素子とが配置された空間を仕切るための間仕切りと押え部材で構成されている。
【先行技術文献】
【特許文献】
【０００３】
【特許文献１】特開２００１−３３９６２７号公報
【発明の概要】
【発明が解決しようとする課題】
【０００４】
しかしながら、上記特許文献１に開示された構成では、間仕切りと押え部材との間に微少な隙間ができてしまうので、この隙間を通じて押え部材で乱反射した赤外光が受光素子に届き、これによって接眼検知部が接眼を検知したかのように誤動作するという問題もあった。また、静電気により接眼検知部を破壊するという問題もあった。
【０００５】
そこで、本発明は、部品点数を増やすことなく各部の間に隙間を確実に塞ぎ、ゴミの浸入防止、静電気による破損防止すると共に、乱反射による誤検知を防止することができる電子ビューファインダーを提供することを目的とする。
【課題を解決するための手段】
【０００６】
上記の目的を達成するため、本発明の電子ビューファインダーは、液晶表示による表示を行う電子ビューファインダーにおいて、接眼の有無を検知する赤外線発光素子（５ａ）と受光素子（５ｂ）から成る光センサー（５）と、該光センサー（５）の前面を覆うように配置されたセンサー窓（８）と、前記液晶表示の表示画像を見るため透明板で構成された表示窓（３）とを備え、前記光センサー（５）周辺部を遮蔽する遮蔽部（１０ｂ）と、前記表示窓（３）周辺部を防塵する防塵部（１０ａ）とを一体に形成した弾性部材（１０）を設けたことを特徴とする。
【０００７】
また、前記遮蔽部（１０ｂ）に前記赤外光発光素子（５ａ）と前記受光素子（５ｂ）との空間を仕切るための仕切り部（１０ｃ）を設けたことを特徴とする。
【０００８】
また、前記遮蔽部（１０ｂ）は、前記光センサー（５）と前記センサー窓（８）との間に配置され、前記防塵部（１０ａ）は、前記表示窓（３）と保持枠（４）との間に配置されたことを特徴とする。
【０００９】
また、前記遮蔽部（１０ｂ）と前記防塵部（１０ａ）とを結合する結合部（１０ｇ）は、前記表示窓（３）の端面部を覆い前記表示窓（３）より接眼側に突出させたことを特徴とする。
【発明の効果】
【００１０】
本発明によれば、部品点数を増やすことなく各部の間に隙間を確実に塞ぐことができ、ゴミの浸入防止、静電気による破損防止と言った役割を効果的に発揮することができる。
また、乱反射による誤検知を防止することができ、安定した動作を維持することができる電子ビューファインダーを提供する。
【図面の簡単な説明】
【００１１】
【図１】本発明の実施形態における電子ビューファインダーの構成を示す断面図である。
【図２】接眼部側から見た外観全体を示す斜視図である。
【図３】接眼部側から見た接眼カバー、アイカップを外した状態を示す斜視図である。
【図４】接眼部側から見た防塵ゴムを示す斜視図である。
【図５】液晶表示部側から見た防塵ゴムを示す斜視図である。
【図６】防塵ゴムの遮蔽部で光センサーを遮蔽した状態を示す斜視図である。
【図７】図６の光センサーの遮蔽状態を示す断面図である。
【発明を実施するための形態】
【００１２】
［実施例］
以下に、本発明の好ましい第１の実施形態を、図面を参照しながら説明する。
【００１３】
図１から図７を参照して、電子ビューファインダーの構成について説明する。
【００１４】
図１は電子ビューファインダーの構成を示す断面図である。図２は接眼部側から見た外観全体を示す斜視図である。図３は接眼部側から見た接眼カバー、アイカップを外した状態を示す斜視図である。図４は接眼部側から見た防塵ゴムを示す斜視図である。図５は液晶表示部側から見た防塵ゴムを示す斜視図である。図６は防塵ゴムの遮蔽部で光センサーを遮蔽した状態を示す斜視図である。図７は図６の光センサーの遮蔽状態を示す断面図である。
【００１５】
液晶表示部は図１及び図２に示すように、液晶表示パネル１、レンズユニット２、表示窓３で構成されている。
【００１６】
液晶表示パネル１とレンズユニット２はケース１７に支持され、表示窓３は中央部に開口部４ａが形成された保持枠４に保持されている。表示窓３は、液晶表示部の表示画像を見るため透明板で構成されおり、後述する接眼カバー７の開口部７ａを塞いでいる。保持枠４は不図示の固定爪によりケース１７に固定されている。
【００１７】
液晶表示部は、液晶表示パネル１の表示画像が、レンズ系２及び表示窓３を通して拡大表示される。
【００１８】
接眼検知部は、図１及び図３に示すように、赤外線発光素子５ａ、受光素子５ｂが一体化された光センサー５、回路基板６で構成されている。
【００１９】
光センサー５は半田により回路基板６に固定され、回路基板６は両面テープにより保持枠４に固定されている。
【００２０】
接眼検知部は、接眼時に赤外線発光素子５ａから出射した赤外光が使用者の顔の一部で反射して受光素子５ｂで受光された場合には、使用状態と判断して液晶表示部の電源をオンする。また、受光素子５ｂが赤外光を受光しない場合には、不使用状態と判断して液晶表示部の電源をオフにする。
【００２１】
接眼部は、図１から図２に示すように、接眼カバー７、センサー窓８、アイカップ９、防塵ゴム１０で構成されている。
【００２２】
接眼カバー７は中央部に開口部７ａが形成されており不図示のビスによりケース１７に固定され、センサー窓８は光センサー５の前面を覆うように配置され、接着により接眼カバー７に固定されている。アイカップ９は接眼カバー７に固定され取り外し可能になっている。
【００２３】
防塵ゴム１０は、図４及び図５に示すように、開口部１０ａが形成された防塵部１０ｂと、仕切り部１０ｃ、開口部１０ｄ、１０ｅが形成された遮蔽部１０ｆが形成されている。防塵部１０ｂと遮蔽部１０ｆとは結合部１０ｇにより一体化されている。
【００２４】
防塵部１０ｂは、図１に示すように、表示窓３と保持枠４との間に配置され、接眼カバー７により表示窓３が押圧されることで防塵部１０ｂがチャージされる。このチャージにより発生する弾性力を利用して表示窓３と保持枠４とを確実に密閉させている。この密着により、接眼カバー７の開口部７ａから浸入するゴミを確実に防止することができる。
【００２５】
遮蔽部１０ｆは、図１に示すように、回路基板６とセンサー窓８との間に配置され、図６及び図７に示すように、光センサー５周囲及び回路基板６を確実に保護している。この保護により、静電気による光センサー５の破壊を防止することができる。
【００２６】
また、仕切り部１０ｃは、図６及び図７に示すように、赤外光発光素子５ａと受光素子５ｂとの空間を仕切るように配置され、一方を光センサー５、他方をセンサー窓８に密着させ、更に表示窓８により仕切り部１０ｃがチャージされる。このチャージにより表示窓８と仕切り部１０ｃとの隙間を確実に塞いでいる。これにより、表示窓８と仕切り部１０ｃとの隙間を通じてセンサー窓８の乱反射による光センサー５の誤検知を防止することができる。また、開口部１０ｄは赤外光発光素子５ａを開放し、開口部１０ｅは受光素子５ｂを開放している。
【００２７】
結合部１０ｇは、図１及び図６に示すように、接眼検知部側の表示窓３の端面部を覆い更に表示窓３より接眼側に突出させ、接眼カバー７によりチャージされている。このチャージにより、表示窓３と接眼カバー７との隙間から浸入するゴミを確実に防止することができる。また、静電気による回路基板６の破壊を防止することができる。
【００２８】
以上、説明したように、上記実施形態によれば、防塵部１０ａと遮蔽部１０ｂとを一体に形成しているので、部品点数を増やすことなく各部の間に隙間を確実に塞ぐことができ、ゴミの浸入防止、静電気による破損防止と言った役割を効果的に発揮することができる。
【００２９】
また、赤外光発光素子５ａと受光素子５ｂとの空間を仕切るための仕切り部１０ｃを一体に形成し、仕切り部１０ｃチャージする構成にすることで、センサー窓８の乱反射による光センサー５の誤検知を防止することができ、安定した動作を維持することができる。
【符号の説明】
【００３０】
３…表示窓
５…光センサー
５ａ…赤外線発光素子
５ｂ…受光素子
６…回路基板
８…センサー窓
１０…防塵ゴム（弾性部材）
１０ｂ…防塵部
１０ｃ…仕切り部
１０ｆ…遮蔽部
１０ｇ…結合部
【図１】
2015138072.tif 000003
【図２】
2015138072.tif 000004
【図３】
2015138072.tif 000005
【図４】
2015138072.tif 000006
【図５】
2015138072.tif 000007
【図６】
2015138072.tif 000008
【図７】
2015138072.tif 000009